(57)【要約】【課題】再加熱操作を行った後、停電検知が停電と判断した後には、常に熱い状態の保温米飯を食することができるジャー炊飯器を提供する。【解決手段】商用電源の停電と停電復帰を検知する停電検知手段２３と、鍋１０の温度を所定の保温温度に維持する保温工程と、その保温工程の保温温度よりも高い温度に上昇させる再加熱工程と、その再加熱工程を選択する再加熱工程選択手段３０とを備え、前記再加熱工程後は、前記保温工程の保温温度よりも高い保温温度にて維持する高温保温工程へと移行し、前記停電検知手段２３が停電と検知し、さらに停電復帰を検知した後は、前記保温工程へ移行するもので、再加熱操作を行った後、使用者がご飯を食する時には、常に熱い状態の保温米飯を食することができる。さらに、再加熱のご飯を食した後は保温温度を、再加熱前の保温工程の温度まで下げることにより、省エネができる。【選択図】図１
2009284930.tif 000002
【特許請求の範囲】
【請求項１】
上面が開口した本体と、前記本体に着脱自在に収納される鍋と、前記鍋を加熱するための鍋加熱手段と、前記本体の上面開口部を開閉自在に覆う蓋と、商用電源の停電と停電復帰を検知する停電検知手段と、前記鍋の温度を所定の保温温度に維持する保温工程と、その保温工程の保温温度よりも高い温度に上昇させる再加熱工程と、その再加熱工程を選択する再加熱工程選択手段とを備え、前記再加熱工程後は、前記保温工程の保温温度よりも高い保温温度にて維持する高温保温工程へと移行し、前記停電検知手段が停電と検知し、さらに停電復帰を検知した後は、前記保温工程へ移行することを特徴とするジャー炊飯器。
【請求項２】
保温工程は、鍋の温度を所定の保温温度で維持する定温保温機能と、２水準以上の保温温度で鍋の温度を維持する変温保温機能の２つの機能を有し、使用者が保温工程を、定温保温機能または変温保温機能に設定する保温工程選択手段を備えたことを特徴とする請求項１に記載のジャー炊飯器。
【請求項３】
再加熱工程後、所定時間を経過しても停電検知手段が停電と判断しない場合、再加熱工程前の保温工程へ移行する請求項１または２に記載のジャー炊飯器。
【発明の詳細な説明】
【技術分野】
【０００１】
本発明は、炊飯後の飯を所定の保温温度（約７０℃）に保持する保温機能を有するジャー炊飯器に関するものである。
【背景技術】
【０００２】
従来から、使用者の操作により、保温中に飯を食する前などに、保温米飯を予め定められている保温温度より高い温度（約９０℃）に上昇させる再加熱手段を有するジャー炊飯器がある。また、一定の保温温度に維持する定温保温機能と、保温経過時間により２水準以上の保温温度に変化させる変温保温機能を選択設定できる機能を有するジャー炊飯器もある。これらの機能を併せ持つジャー炊飯器では、再加熱操作時の保温機能状態を記憶させ、再加熱後には、再加熱開始前の保温機能状態に設定するものがある（例えば、特許文献１参照）。
【０００３】
このような従来のジャー炊飯器は、再加熱操作により保温機能状態が変化することがなく、使用者は保温機能の再設定を行わなくてよく、便利である。
【特許文献１】特許第２７９５２０１号公報
【発明の開示】
【発明が解決しようとする課題】
【０００４】
しかしながら、上記特許文献１に開示された従来のジャー炊飯器では、再加熱動作後に保温機能の再設定を行わなくてよいものの、例えば再加熱終了から時間が経過してしまった場合、折角再加熱した保温米飯の温度が元の維持温度に向けて下がってしまい、使用者の求める熱さの保温米飯を食せないことがあった。また、再加熱開始前の工程における保温維持温度が一定ではないため、再加熱終了後元工程に戻ってからの経過時間によって、再加熱米飯の温度が変化してしまうという課題があった。
【０００５】
本発明は、前記従来の課題を解決するもので、使用者が台所で再加熱を行い、居間でご飯を食べるために、ジャー炊飯器のコンセントを抜き、停電検知手段が商用電源の停電を検知し、さらに使用者がジャー炊飯器を移動させ、ジャー炊飯器のコンセントを入れ、停電検知手段が商用電源の停電復帰を検知した場合には、使用者がご飯を食べるために、場所を移動したと判断することができ、それまで、高い保温米飯の温度を維持でき常に熱い状態の再加熱米飯を食することができる。さらに、ご飯を食したと判断できるので保温温度を、再加熱前の温度まで下げることにより、省エネができることを目的とする。
【課題を解決するための手段】
【０００６】
上記従来の課題を解決するために、本発明のジャー炊飯器は、上面が開口した本体と、前記本体に着脱自在に収納される鍋と、前記鍋を加熱するための鍋加熱手段と、前記本体の上面開口部を開閉自在に覆う蓋と、商用電源の停電と停電復帰を検知する停電検知手段と、前記鍋の温度を所定の保温温度に維持する保温工程と、その保温工程の保温温度よりも高い温度に上昇させる再加熱工程と、その再加熱工程を選択する再加熱工程選択手段とを備え、前記再加熱工程後は、前記保温工程の保温温度よりも高い保温温度にて維持する高温保温工程へと移行し、前記停電検知手段が停電と検知し、さらに停電復帰を検知した後は、前記保温工程へ移行するもので、再加熱工程後、商用電源が停電するまで高温で保温されるので、使用者がご飯を食する時には常に熱い状態の保温米飯を食することができる。さらに、再加熱のご飯を食した後は保温温度を、再加熱前の保温工程の温度まで下げることにより、省エネができる。
【発明の効果】
【０００７】
本発明のジャー炊飯器は、停電検知手段が停電と停電復帰を判断した後には、常に熱い状態の保温米飯を食することができ、さらに、ご飯を食した後は保温温度を、再加熱前の保温工程の温度まで下げることにより、省エネができる。
【発明を実施するための最良の形態】
【０００８】
第１の発明は、上面が開口した本体と、前記本体に着脱自在に収納される鍋と、前記鍋を加熱するための鍋加熱手段と、前記本体の上面開口部を開閉自在に覆う蓋と、商用電源の停電と停電復帰を検知する停電検知手段と、前記鍋の温度を所定の保温温度に維持する保温工程と、その保温工程の保温温度よりも高い温度に上昇させる再加熱工程と、その再加熱工程を選択する再加熱工程選択手段とを備え、前記再加熱工程後は、前記保温工程の保温温度よりも高い保温温度にて維持する高温保温工程へと移行し、前記停電検知手段が停電と検知し、さらに停電復帰を検知した後は、前記保温工程へ移行するもので、再加熱工程後、商用電源が停電するまで高温で保温され、使用者が台所で再加熱を行い、居間でご飯を食べるために、ジャー炊飯器のコンセントを抜き、停電検知手段が商用電源の停電を検知し、さらに使用者がジャー炊飯器を移動させ、ジャー炊飯器のコンセントを入れ、停電検知手段が商用電源の停電復帰を検知した場合には、使用者がご飯を食べるために、場所を移動したと判断することができ、それまで高い保温米飯の温度を維持でき、常に熱い状態の加熱米飯を食することができる。さらに、ご飯を食したと判断できるので保温温度を、再加熱前の温度まで下げることにより、省エネができる。
【０００９】
第２の発明は、特に、第１の発明の保温工程を、鍋の温度を所定の保温温度で維持する定温保温機能と、２水準以上の保温温度で鍋の温度を維持する変温保温機能の２つの機能を有し、使用者が保温工程を、定温保温機能または変温保温機能に設定する保温工程選択手段を備えたことを特徴とするので、使用者の好みで定温保温機能または変温保温機能を選択でき、保温のご飯の温度を時間の経過に関わらず常に一定にしたい場合は、保温工程を定温保温機能に選択し、保温のご飯の温度を省エネのために、２水準以上の温度で、時間の経過とともに、常定温保温機能の温度にしたり、定温保温機能より低くした温度にしたりして、保温の消費電力量を削減したい場合には、保温工程を変温保温機能に選択することができる。
【００１０】
第３の発明は、特に、第１または第２の発明の再加熱工程後、所定時間を経過しても前記停電検知手段が停電と判断しない場合、再加熱工程前の保温工程へ移行するもので、使用者が再加熱を行ったものの、何らかの理由によりご飯を食さなかった場合などに、長時間の高温保温によるご飯の変質や乾燥を抑えて、使用者がおいしく米飯を食することができる時間を長くできるようになるという便利な機能を実現できる。
【００１１】
以下、本発明の実施の形態について、図面を参照しながら説明する。なお、この実施の形態によって本発明が限定されるものではない。
【００１２】
（実施の形態１）
図１〜図３を用いて、本発明の実施の形態１におけるジャー炊飯器を説明する。
【００１３】
図１は、本実施の形態におけるジャー炊飯器の前後方向断面図である。図面を簡潔にするために、電気的接続のためのリード線等は省略してある。
【００１４】
図１において、１０は、上面が開口する略円筒形の本体である。本体１０は、着脱自在に鍋１１を収納するため、有底筒状の鍋収納部１２を有す。鍋収納部１２の底部には、鍋加熱手段として鍋１１を誘導加熱する鍋加熱コイル１３が設けられている。１４は、底温度センサーで、鍋１１の底面と当接するよう付勢されて装着され、炊飯及び保温時の鍋１
１の温度を検知している。
【００１５】
本体１０の上面開口部１５は、本体１０にヒンジ軸１６により開閉自在に支持された蓋１７で覆われている。蓋１４の下面には、放熱板１８が構成されている。また、蓋内部には放熱板１８を誘導加熱する蓋加熱コイル１９が設けられている。
【００１６】
さらに、蓋温度検知手段である蓋温度センサー２０が、放熱板１８に当接するように設けられている。２１は鍋パッキンであり、蓋１７を閉じた時に、鍋１１の上辺に当接し鍋１１を密閉する。
【００１７】
制御基板２２は、加熱コイル１３および蓋加熱コイル１９への電力供給を制御している。さらに、制御基板２２には、商用電源が制御基板に電力を供給しているかどうかを判定する停電検知手段２３が設けられている。操作基板２４は、底温度センサー１４、蓋温度センサー２０、マイクロコンピュータ内の計時手段にある時間計測用タイマ（図示せず）を有している。
【００１８】
さらに、操作基板２４上には、使用者が操作時に用いる入力スイッチ２５、操作時の入力受付報知や炊飯動作終了報知、再加熱動作終了報知のためのブザー（図示しない）が設けられている。
【００１９】
図２は、本実施の形態におけるジャー炊飯器の操作部を示す図である。
【００２０】
図２において、透明部を有する操作パネル２６の内部に、表示手段であるＬＣＤ２７が設けられ、炊飯・保温状態や予約設定時間、現在時刻などを表示する。炊飯ボタン２８、保温ボタン２９、再加熱工程選択手段３０、保温工程選択手段３１、切ボタン３２の入力スイッチが配置されており、それぞれのボタンを押すことにより炊飯を開始したり、再加熱開始を開始したり、再加熱工程選択をしたり、保温工程選択をしたりすることが可能となっている。
【００２１】
図３は、本実施の形態におけるジャー炊飯器の保温工程時に再加熱操作を行った時の鍋の温度の変化を示す図である。ｔ１は保温工程中での再加熱動作開始時点、ｔ２は再加熱動作終了時点、ｔ３は停電検知手段２３が停電を検知した時点、ｔ４は停電検知手段２３が停電を検知した時点であり、３０は、底温度センサー１４にて検知している鍋１１の温度である。
【００２２】
本実施の形態におけるジャー炊飯器による炊飯・保温、および再加熱時の動作を説明する。
【００２３】
使用者は、所定の量の米と水を鍋１１内に準備し、ジャー炊飯器にセットし蓋１７を閉め、ジャー炊飯器のコンセントを入れる。この時、制御基板２２の停電検知手段２３は商用電源が制御基板に電力を供給しているかどうかの判定を行い、停電でないことを検知する。
【００２４】
使用者が炊飯ボタン２８を押すと操作受付を報知するブザーが鳴り、炊飯工程が開始され、所定のプログラムにしたがって底加熱コイル１３や蓋加熱コイル１９による加熱を行う。炊飯が終了すると炊飯終了を報知するためのブザーが鳴り、所定の保温温度、例えば、７４℃での保温工程に移行する。保温工程においては、所定のプログラムにしたがって底加熱コイル１３や蓋加熱コイル１９による加熱を行い、保温開始からある程度時間が経過すると、鍋１１の温度３０が、所定の保温温度（例えば、７４℃）で安定する。
【００２５】
保温工程時のｔ１において、使用者が再加熱工程選択手段３０を押して、再加熱操作すると、操作受付を報知するブザーが鳴り、再加熱工程が開始され、所定のプログラムにしたがって加熱コイル１３や蓋加熱コイル１９による加熱を行う。本実施の形態では、鍋１１の温度３０が９０℃に到達するとブザーが鳴り、再加熱工程が終了する（ｔ２）。再加熱工程終了後は、再加熱工程前の保温温度である７４℃よりも高い温度である８５℃にて維持する高温工程へと移行する。使用者はブザー音により再加熱工程の終了を知り、台所から居間にジャー炊飯器を移動させて再加熱米飯を食するために、ジャー炊飯器のコンセントを抜くと、停電検知手段２３が商用電源が停電と検知する（ｔ３）。さらに使用者がジャー炊飯器のコンセントを入れると、停電検知手段２３が商用電源の停電復帰を検知する（ｔ４）と、再加熱前の保温状態である７４℃にて維持する保温へ移行する。
【００２６】
停電検知手段２３が商用電源の停電を検知しない場合は、８５℃での高温保温を維持するプログラムとなっている。よって使用者は、再加熱終了後の時間によらず、再加熱前の保温温度に対して常に熱い状態の保温米飯を食することができる。
【００２７】
以上のように、本実施の形態によれば、使用者は、再加熱終了後の時間によらず、再加熱前の保温温度に対して常に熱い状態の保温米飯を食することができ、さらに、ご飯を食したと判断できるので保温温度を、再加熱前の温度まで下げることにより、省エネができる。
【００２８】
（実施の形態２）
図４は、本発明の実施の形態２におけるジャー炊飯器の保温工程時に再加熱操作を行った時の鍋の温度の変化を示す図である。なお、上記実施の形態１におけるジャー炊飯器と同一部分については同一符号を付してその説明を省略し、相違点についてのみ説明する。
【００２９】
３０は、保温工程選択手段３１で定温保温機能を選択した時の、底温度センサー１４にて検知している鍋１１の温度であり、本発明の実施の形態１の動作と同じである。
【００３０】
３１は、保温工程選択手段３１で変温保温機能を選択した時の、底温度センサー１４にて検知している鍋１１の温度である。
【００３１】
保温工程選択手段３１は、使用者が保温工程時に、鍋１１の温度を、保温のご飯の温度を時間の経過に関わらず常に一定にしたい場合（例えば、７４℃）は保温工程選択手段３１にて、定温保温機能を選択し、保温のご飯の温度を省エネのために、２水準の温度で、時間の経過とともに、常定温保温機能の温度（例えば、７４℃）にしたり、定温保温機能より低くした温度（例えば、６０℃）にしたりして、保温の消費電力量を削減したい場合には、保温工程選択手段３１にて変温保温機能を選択できる。
【００３２】
本実施の形態におけるジャー炊飯器による炊飯・保温、および再加熱時の動作を説明する。
【００３３】
使用者は、炊飯終了後、保温工程時に、鍋１１の温度を、保温のご飯の温度を時間の経過に関わらず常に一定にしたい場合（例えば、７４℃）は保温工程選択手段３１にて、定温保温機能を選択し、保温のご飯の温度を省エネのために、２水準の温度で、時間の経過とともに、常定温保温機能の温度（例えば、７４℃）にしたり、定温保温機能より低くした温度（例えば、６０℃）にしたりして、保温の消費電力量を削減したい場合には、保温工程選択手段３１にて変温保温機能を選択する。
【００３４】
変温保温機能を選択した場合、保温工程で７４℃の温度で維持する時間が長いと、保温のご飯の保温臭、変色、乾燥が起きるので所定の時間が経過すると、６０℃の温度で下げ
維持するようにしている。また６０℃の温度で維持すると、ご飯の腐敗菌が繁殖しやすくなるので、所定の時間が経過すると再び７４℃の温度まで上昇させ維持するようにし腐敗を抑えるようにしている。この動作を繰り返し行い、ご飯の保温臭、変色、乾燥、腐敗を抑えるとともに、定温保温機能を選択した場合に比べ、保温の消費電力量を削減することができる。
【００３５】
使用者が保温工程選択手段３１にて変温保温機能を選択し、米と水を鍋１１内に準備し、ジャー炊飯器にセットし蓋１７を閉め、ジャー炊飯器のコンセントを入れる。この時、制御基板２２の停電検知手段２３は商用電源が制御基板に電力を供給しているかどうかの判定を行い、停電でないことを検知する。
【００３６】
使用者が炊飯ボタン２８を押すと操作受付を報知するブザーが鳴り、炊飯工程が開始され、所定のプログラムにしたがって底加熱コイル１３や蓋加熱コイル１９による加熱を行う。炊飯が終了すると炊飯終了を報知するためのブザーが鳴り保温工程に移行する。保温工程において、炊飯終了後の鍋の温度が６０℃まで下がり、所定の時間が経過するまで６０℃で維持される。その後７４℃の温度まで上昇させ所定の時間が経過するまで、７４℃で維持するようにし、再び６０℃で維持される。
【００３７】
保温工程時のｔ１において、使用者が再加熱工程選択手段３０を押して、再加熱操作すると、操作受付を報知するブザーが鳴り、再加熱工程が開始され、所定のプログラムにしたがって加熱コイル１３や蓋加熱コイル１９による加熱を行う。本実施の形態では、鍋１１の温度３０が９０℃に到達するとブザーが鳴り、再加熱工程が終了する（ｔ２）。再加熱工程終了後は、再加熱工程前の保温温度である７４℃よりも高い温度である８５℃にて維持する高温工程へと移行する。使用者はブザー音により再加熱工程の終了を知り、台所から居間にジャー炊飯器を移動させて再加熱米飯を食するために、ジャー炊飯器のコンセントを抜くと、停電検知手段２３が商用電源が停電と検知する（ｔ３）。さらに使用者がジャー炊飯器のコンセントを入れ、停電検知手段２３が商用電源の停電復帰を検知する（ｔ４）と、再加熱前の保温状態である６０℃にて維持する保温へ移行する。
【００３８】
以上のように、本実施の形態では、使用者の好みで定温保温機能または変温保温機能を選択でき、保温のご飯の温度を時間の経過に関わらず常に一定にしたい場合は、保温工程を定温保温機能に選択し、保温のご飯の温度を省エネのために、２水準以上の温度で、時間の経過とともに、常定温保温機能の温度にしたり、定温保温機能より低くした温度にしたりして、保温の消費電力量を削減したい場合には、保温工程を変温保温機能に選択することができる。
【００３９】
（実施の形態３）
図５は、本発明の実施の形態３におけるジャー炊飯器の保温工程時に再加熱操作を行った時鍋の温度の変化を示す図である。ｔ１は保温工程中での再加熱動作開始時点、ｔ２は再加熱動作終了時点、ｔ５は高温保温工程での経過時間が予め設定された所定時間の時点である。また３０は、底温度センサー１４にて検知している鍋１１の温度である。
【００４０】
図５に基づいて本実施の形態の動作を説明する。
【００４１】
保温工程時に時間ｔ１において、使用者が再加熱工程選択手段３０を操作し再加熱操作を行うと、所定のプログラムにしたがって底加熱コイル１２や蓋加熱コイル１９による加熱を行い、鍋１１の温度３０が９０℃に到達するとブザーが鳴り、再加熱動作が終了する（ｔ２）。再加熱動作終了後は、高温保温工程へと移行するとともに、制御基板２３に設けているマイクロコンピュータ内の計時手段にある時間計測用タイマで、高温保温工程での経過時間が予め設定した所定時間内（例えば１５分以上）に、停電検知手段２３が商用
電源の停電を検知しないと再加熱前の保温状態（例えば７０℃）へ移行する。
【００４２】
以上のように、本実施の形態によれば、何らかの事情により使用者が再加熱操作を行いつつも直ぐには米飯を食さなかった場合において、高温保温による米飯の劣化を抑えることができ、また、再加熱前の保温状態へ移行するので省エネができる。
【産業上の利用可能性】
【００４３】
本発明に係わるジャー炊飯器は、停電検知手段２３が商用電源の停電を検知した後、さらに停電復帰時には、常に熱い状態の保温米飯を食することができるもので、家庭用のジャー炊飯器に適用できる。
【図面の簡単な説明】
【００４４】
【図１】本発明の実施の形態１におけるジャー炊飯器の前後方向断面図
【図２】同ジャー炊飯器の操作部を示す図
【図３】同ジャー炊飯器にて保温工程時に再加熱操作を行った時の鍋の温度の変化を示す図
【図４】本発明の実施の形態２におけるジャー炊飯器の保温工程時に再加熱操作を行った時鍋の温度の変化を示す図
【図５】本発明の実施の形態３におけるジャー炊飯器の保温工程時に再加熱操作を行った時鍋の温度の変化を示す図
【符号の説明】
【００４５】
１０  本体
１１  鍋
１３  加熱コイル
１４  底温度センサー
１４  蓋
１８  蓋ヒータ
１９  蓋温度センサー
２０  鍋パッキン
２１  マグネット
２２  リードスイッチ（蓋開閉検知手段）
２２  制御基板
２３  停電検知手段
２４  操作基板
２８  炊飯ボタン
３０  再加熱工程選択手段
３１  保温工程選択手段
【図１】
2009284930.tif 000003
【図２】
2009284930.tif 000004
【図３】
2009284930.tif 000005
【図４】
2009284930.tif 000006
【図５】
2009284930.tif 000007